(57)【要約】【課題】販売担当者が販売しながら売場内の盗難防止も行なうことが可能なＰＯＳシステムの提供。【解決手段】商品の販売データを入力する入力手段６２，６４，６６と、モニタ５０に販売データを出力表示する出力手段４０とを備え、商品の販売に伴う売上管理上のデータを販売時点で収集し記録するＰＯＳシステム。商品の売場の動画像を撮影する１又は複数のカメラ２０と、カメラ２０によって撮影された動画像の信号を取り込みディジタル画像信号に変換する変換手段３０とを備え、出力手段４０は、入力手段６２，６４，６６が入力した販売データと変換手段３０が変換したディジタル画像信号とを、モニタ５０に共に出力表示する構成である。【選択図】        図１
2004178524.tif 000002
【特許請求の範囲】
【請求項１】
商品の販売データを入力する入力手段と、モニタに販売データを出力表示する出力手段とを備え、商品の販売に伴う売上管理上のデータを販売時点で収集し記録するＰＯＳシステムにおいて、
前記商品の売場の動画像を撮影する１又は複数のカメラと、該カメラによって撮影された動画像の信号を取り込みディジタル画像信号に変換する変換手段とを備え、前記出力手段は、前記入力手段が入力した販売データと前記変換手段が変換したディジタル画像信号とを、前記モニタに共に出力表示すべくなしてあることを特徴とするＰＯＳシステム。
【請求項２】
前記販売データ及びディジタル画像信号を互いに関連付けて記憶する記憶手段と、該記憶手段が記憶した販売データ及びディジタル画像信号を、互いに関連付けて読み出す読出手段とを更に備え、前記出力手段は、前記読出手段が読み出した販売データ及びディジタル画像信号を、前記モニタに共に出力表示すべくなしてある請求項１記載のＰＯＳシステム。
【請求項３】
前記読出手段が読み出した販売データ及びディジタル画像信号を、コンピュータネットワークを介して送信する送信手段と、該送信手段から販売データ及びディジタル画像信号を送信されるコンピュータとを更に備え、該コンピュータは、複数の前記送信手段から送信された販売データ及びディジタル画像信号を記憶して処理し、モニタに出力表示すべくなしてある請求項２記載のＰＯＳシステム。
【請求項４】
商品の販売データを入力し、入力した販売データをモニタに出力表示し、商品の販売に伴う売上管理上のデータを販売時点で収集し記録するＰＯＳシステムの情報処理方法において、
前記商品の売場の動画像を撮影する１又は複数のカメラによって撮影された動画像の信号を取り込みディジタル画像信号に変換するステップと、該ディジタル画像信号の有無により前記カメラが作動しているか否かを判定するステップと、前記販売データが入力されるか否かを判定するステップと、前記カメラが作動していると判定し、前記販売データが入力されると判定した場合に、前記販売データ及びディジタル画像信号を、互いに関連付けて記憶するステップと、記憶した販売データ及びディジタル画像信号を、互いに関連付けて読み出すステップと、読み出した販売データ及びディジタル画像信号を、前記モニタに共に出力表示するステップとを有することを特徴とするＰＯＳシステムの情報処理方法。
【請求項５】
前記カメラが作動していないと判定し、前記販売データが入力されると判定した場合に、前記販売データを記憶するステップと、記憶した販売データを読み出すステップと、読み出した販売データを前記モニタに出力表示するステップとを更に有する請求項４記載のＰＯＳシステムの情報処理方法。
【請求項６】
前記カメラが作動していると判定し、前記販売データが入力されないと判定した場合に、前記ディジタル画像信号を記憶するステップと、記憶したディジタル画像信号を読み出すステップと、読み出したディジタル画像信号を前記モニタに出力表示するステップとを更に有する請求項４又は５記載のＰＯＳシステムの情報処理方法。
【発明の詳細な説明】
【０００１】
【発明の属する技術分野】
本発明は、ＤＶＲ（Ｄｉｇｉｔａｌ  Ｖｉｄｅｏ  Ｒｅｃｏｒｄｉｎｇ）システムが内蔵されたＰＯＳシステム（Ｐｏｉｎｔ  Ｏｆ  Ｓａｌｅ  Ｓｙｓｔｅｍ；販売時点情報管理システム）及びＰＯＳシステムの情報処理方法に関し、更に詳しくは、販売時点情報管理の機能にディジタル映像による監視機能を一体化したシステム及びその情報処理方法に関するものである。
【０００２】
【従来の技術】
ＰＯＳシステムは、商品に付加されたバーコードを利用して販売情報を収集するＰＯＳ端末機を売場に設置し、ＰＯＳ端末機が収集した販売データに基づき、販売の事務処理を始めとして市場調査、在庫調査、販売時点管理等の流通情報を総合的に管理出来るようにしたものである。
すなわち、デパート及びスーパーマーケット等の商品の勘定台に、電子式金銭登録機の機能及びコンピュータ機能等を備えたＰＯＳ端末機を設け、商品の販売に伴う売上管理上のデータ（商品の販売管理及び在庫管理等に使用されるデータ）を販売時点で自動的に収集し記録するシステムである。
【０００３】
従前の金銭登録機は、売上金額を現場で迅速、正確に計算することが主な役割であったが、ＰＯＳシステムは、商品の売上げ情報を収集して加工し、これを活用して各種商品情報及び会計情報を迅速に照会、管理することも可能である。
ＰＯＳ端末機は、従前の金銭登録機のような機能、データを一時記憶する機能、及び販売時点のデータを上位装置に接続して伝送する機能を有しており、スキャナ又はキーによって商品コードを入力して上位装置に伝送する。
【０００４】
一方、ＤＶＲ（ディジタル映像監視）システムは、監視カメラのＣＣＤカメラからの映像信号をディジタル信号に変換処理し、記憶手段に記憶する次世代ＣＣＴＶ（Ｃｌｏｓｅｄ  Ｃｉｒｃｕｉｔ  Ｔｅｌｅｖｉｓｉｏｎ）映像監視システムであって、アナログシステムでは別途必要とするフレームスイッチ、画面分割器及びタイムラプスＶＣＲ（ｔｉｍｅ  ｌａｐｓｅ  Ｖｉｄｅｏ  Ｃａｓｓｅｔｔｅ  Ｒｅｃｏｒｄｅｒ）等を一つの製品に構成した統合システムである。
【０００５】
ＣＣＴＶでは、特定の受信者を対象として画像を伝送するテレビジョン方式により、有線又は無線で画像の送受信を行うことが出来、受信対象者以外は任意に受信することが出来ない。
このようなディジタル映像監視システムは、既存のアナログＶＣＲとは異なり、ビデオテープを定期的に交換／保管する等の維持管理が不要であり、テープの繰返し使用による画質劣化がなく、検索時にはテープを交換することなく迅速に検索を行うことが出来るという利点がある。
【０００６】
【特許文献１】
特開２００１−２５６３３９号公報
【特許文献２】
特開平１０−１２４７３４号公報
【特許文献３】
特開２００２−７３９４８号公報
【０００７】
【発明が解決しようとする課題】
従来は、上述したＰＯＳシステム及びＤＶＲが別途に設置運営されていた為、設置形態及び運営方法が複雑となり、盗難防止の目的で設置された多数のＣＣＴＶ画面を、１つの警備室又は管理室等で統合的に監視していた為、その為の人員が必要であるという問題があった。
また、ＰＯＳシステムに使用される画面には、計算の為の内容が表示され、警備室等のＣＣＴＶ画面には、監視の為の内容が表示されるので、一人の販売担当者が、両画面を見て、販売をしながら売場の盗難を防止することは困難であるという問題点があった。
【０００８】
本発明は、上述したような事情に鑑みてなされたものであり、販売担当者が販売しながら売場内の盗難防止も行なうことが可能なＰＯＳシステムを提供することを目的とする。
本発明は、また、販売担当者が販売しながら売場内の盗難防止も行なうことが可能なＰＯＳシステムの情報処理方法を提供することを目的とする。
【０００９】
【課題を解決するための手段】
第１発明に係るＰＯＳシステムは、商品の販売データを入力する入力手段と、モニタに販売データを出力表示する出力手段とを備え、商品の販売に伴う売上管理上のデータを販売時点で収集し記録するＰＯＳシステムにおいて、前記商品の売場の動画像を撮影する１又は複数のカメラと、該カメラによって撮影された動画像の信号を取り込みディジタル画像信号に変換する変換手段とを備え、前記出力手段は、前記入力手段が入力した販売データと前記変換手段が変換したディジタル画像信号とを、前記モニタに共に出力表示すべくなしてあることを特徴とする。
【００１０】
このＰＯＳシステムでは、入力手段が商品の販売データを入力し、出力手段がモニタに販売データを出力表示し、商品の販売に伴う売上管理上のデータを販売時点で収集し記録する。１又は複数のカメラが商品の売場の動画像を撮影し、変換手段が、カメラによって撮影された動画像の信号を取り込みディジタル画像信号に変換する。出力手段は、入力手段が入力した販売データと変換手段が変換したディジタル画像信号とを、モニタに共に出力表示する。
これにより、販売担当者が販売しながら売場内の盗難防止も行なうことが可能なＰＯＳシステムを実現することが出来る。
【００１１】
第２発明に係るＰＯＳシステムは、前記販売データ及びディジタル画像信号を互いに関連付けて記憶する記憶手段と、該記憶手段が記憶した販売データ及びディジタル画像信号を、互いに関連付けて読み出す読出手段とを更に備え、前記出力手段は、前記読出手段が読み出した販売データ及びディジタル画像信号を、前記モニタに共に出力表示すべくなしてあることを特徴とする。
【００１２】
このＰＯＳシステムでは、記憶手段が、販売データ及びディジタル画像信号を互いに関連付けて記憶し、読出手段が、記憶手段が記憶した販売データ及びディジタル画像信号を、互いに関連付けて読み出す。出力手段は、読出手段が読み出した販売データ及びディジタル画像信号を、モニタに共に出力表示する。
これにより、販売担当者が販売しながら売場内の盗難防止も行なうことが可能なＰＯＳシステムを実現することが出来る。
【００１３】
第３発明に係るＰＯＳシステムは、前記読出手段が読み出した販売データ及びディジタル画像信号を、コンピュータネットワークを介して送信する送信手段と、該送信手段から販売データ及びディジタル画像信号を送信されるコンピュータとを更に備え、該コンピュータは、複数の前記送信手段から送信された販売データ及びディジタル画像信号を記憶して処理し、モニタに出力表示すべくなしてあることを特徴とする。
【００１４】
このＰＯＳシステムでは、送信手段が、読出手段が読み出した販売データ及びディジタル画像信号を、コンピュータネットワークを介して送信し、コンピュータが、送信手段から販売データ及びディジタル画像信号を送信される。コンピュータは、複数の送信手段から送信された販売データ及びディジタル画像信号を記憶して処理し、モニタに出力表示する。
これにより、販売担当者が販売しながら売場内の盗難防止も行なうと共に、センタにおいても売場内の盗難を監視することが可能なＰＯＳシステムを実現することが出来る。
【００１５】
第４発明に係るＰＯＳシステムの情報処理方法は、商品の販売データを入力し、入力した販売データをモニタに出力表示し、商品の販売に伴う売上管理上のデータを販売時点で収集し記録するＰＯＳシステムの情報処理方法において、前記商品の売場の動画像を撮影する１又は複数のカメラによって撮影された動画像の信号を取り込みディジタル画像信号に変換するステップと、該ディジタル画像信号の有無により前記カメラが作動しているか否かを判定するステップと、前記販売データが入力されるか否かを判定するステップと、前記カメラが作動していると判定し、前記販売データが入力されると判定した場合に、前記販売データ及びディジタル画像信号を、互いに関連付けて記憶するステップと、記憶した販売データ及びディジタル画像信号を、互いに関連付けて読み出すステップと、読み出した販売データ及びディジタル画像信号を、前記モニタに共に出力表示するステップとを有することを特徴とする。
【００１６】
このＰＯＳシステムの情報処理方法では、商品の販売データを入力し、入力した販売データをモニタに出力表示し、商品の販売に伴う売上管理上のデータを販売時点で収集し記録する。商品の売場の動画像を撮影する１又は複数のカメラによって撮影された動画像の信号を取り込みディジタル画像信号に変換し、変換したディジタル画像信号の有無によりカメラが作動しているか否かを判定し、販売データが入力されるか否かを判定する。カメラが作動していると判定し、販売データが入力されると判定した場合に、販売データ及びディジタル画像信号を、互いに関連付けて記憶し、記憶した販売データ及びディジタル画像信号を、互いに関連付けて読み出し、読み出した販売データ及びディジタル画像信号を、モニタに共に出力表示する。
これにより、販売担当者が販売しながら売場内の盗難防止も行なうことが可能なＰＯＳシステムの情報処理方法を実現することが出来る。
【００１７】
第５発明に係るＰＯＳシステムの情報処理方法は、前記カメラが作動していないと判定し、前記販売データが入力されると判定した場合に、前記販売データを記憶するステップと、記憶した販売データを読み出すステップと、読み出した販売データを前記モニタに出力表示するステップとを更に有することを特徴とする。
【００１８】
このＰＯＳシステムの情報処理方法では、カメラが作動していないと判定し、販売データが入力されると判定した場合に、販売データを記憶し、記憶した販売データを読み出し、読み出した販売データをモニタに出力表示する。
これにより、販売担当者が販売しながら売場内の盗難防止も行なうことが可能であり、カメラが作動していない場合でも、ＰＯＳシステムとして作動することが可能なＰＯＳシステムの情報処理方法を実現することが出来る。
【００１９】
第６発明に係るＰＯＳシステムの情報処理方法は、前記カメラが作動していると判定し、前記販売データが入力されないと判定した場合に、前記ディジタル画像信号を記憶するステップと、記憶したディジタル画像信号を読み出すステップと、読み出したディジタル画像信号を前記モニタに出力表示するステップとを更に有することを特徴とする。
【００２０】
このＰＯＳシステムの情報処理方法では、カメラが作動していると判定し、販売データが入力されないと判定した場合に、ディジタル画像信号を記憶し、記憶したディジタル画像信号を読み出し、読み出したディジタル画像信号をモニタに出力表示する。
これにより、販売担当者が販売しながら売場内の盗難防止も行なうことが可能であり、販売データが入力されない場合は、盗難防止システムとして作動することが可能なＰＯＳシステムの情報処理方法を実現することが出来る。
【００２１】
【発明の実施の形態】
以下に、本発明の実施の形態を、それを示す図面に基づき説明する。
実施の形態
図１は、本発明に係るＰＯＳシステム及びＰＯＳシステムの情報処理方法の実施の形態の構成を示すブロック図である。このＰＯＳシステムは、入力手段としては、製品別データを入力する為の部門キー、及び商品の価格を入力する為の数値キーからなるキーボード６２と、販売した商品に対する決済の為に、クレジットカードから情報を読み取るカード読取装置６４と、商品に付加されたバーコードを読み取って、商品名及びその価格を入力するスキャナ６６とを備えている。この他、マウスを入力手段として更に備えることも出来る。
【００２２】
このＰＯＳシステムは、ＤＶＲの入力する手段として、売場内を監視する多数の監視カメラ２０を備えている。監視カメラ２０で撮影された動画像の信号は、ＤＶＲキャプチャボード３０（変換手段）に取り込まれてディジタル画像信号に変換される。
このＰＯＳシステムは、また、ＰＯＳ本体として、制御部１０、メモリ７４及びＨＤＤ（Ｈａｒｄ  Ｄｉｓｋ  Ｄｒｉｖｅ）７２を備えている。制御部１０は、入力手段が入力した販売データと監視カメラ２０が撮影した動画像のディジタル画像信号とを処理すると共に、データ処理の為に各構成部を制御する。
【００２３】
ＨＤＤ７２（記憶手段）には、変換されたディジタル画像信号及び入力された販売データが記憶される。また、ＨＤＤ７２が記憶したディジタル画像信号及び販売データは、制御部１０が読み出し、モデム等のＤＣＥ（Ｄａｔａ  Ｃｉｒｃｕｉｔ  ｔｅｒｍｉｎａｔｉｎｇ  Ｅｑｕｉｐｍｅｎｔ）８１（送信手段）を介して、インターネット８２又はＬＡＮ（Ｌｏｃａｌ  Ａｒｅａ  Ｎｅｔｗｏｒｋ）等のコンピュータネットワーク経由で、センタのメインサーバ８４（コンピュータ）に伝送される。メインサーバ８４は、伝送されたディジタル画像信号及び販売データを図示しないメモリに記憶しておき、外部からの操作に応じて、図示しないモニタに表示すると共に、販売データを集計処理する。
メモリ７４には、入力手段が入力した文字をモニタ５０に表示する為のフォント情報等が記憶されている。
【００２４】
制御部１０は、また、ＨＤＤ７２からディジタル画像信号及び販売データを読み出し、ＶＧＡ（Ｖｉｄｅｏ  Ｇｒａｐｈｉｃｓ  Ａｒｒａｙ）カード４０（出力手段）を介して、ビデオ出力としてモニタ５０に共に表示する。
このＰＯＳシステムは、また、このクレジットカードで決済する場合に、カード読取装置６４で読み取ったカード情報と決済金額とを紙に印字出力する為に、及び購買者が購入した商品の内訳を紙に印字出力する為に、プリンタ９０を備えている。
このＰＯＳシステムは、また、クレジットカードで決済する場合に、ＶＡＮ（Ｖａｌｕｅ  Ａｄｄｅｄ  Ｎｅｔｗｏｒｋ）網８８に接続してカード承認を得る為に、モデム８６を更に備えている。
【００２５】
以下に、このような構成のＰＯＳシステムの情報処理動作を、それを示す図２〜４のフローチャートを参照しながら説明する。
このＰＯＳシステムの制御部１０は、先ず、システムがＯＮになると、ＰＯＳプログラムを実行する（Ｓ２０２）。
次に、制御部１０は、ＤＶＲキャプチャボード３０からディジタル画像信号が入力されるか否かに基づき、監視カメラ２０が作動しているか否かを判定する（Ｓ２０４）。監視カメラ２０が作動していれば、バーコードを読み取るスキャナ６６、及び文字を直接入力するキーボード６２等のＰＯＳ入力手段から入力されるか否かに基づき、販売データが入力されている否かを判定する（Ｓ２０６）。
【００２６】
制御部１０は、販売データが入力されていれば（Ｓ２０６）、売場内に設置された監視カメラ２０が撮影した動画像の信号を、ＤＶＲキャプチャボード３０に取り込ませ（キャプチャさせ）、ディジタル画像信号に変換させる（Ｓ２０８）。
制御部１０は、ＤＶＲキャプチャボード３０が変換したディジタル画像信号と入力された販売データとを、相互にリンクさせて読み出すことが出来るようにＨＤＤ７２に記憶させる（Ｓ２１０）。
【００２７】
制御部１０は、次に、ＶＧＡカード４０により、ディジタル画像信号と販売データとを１つのモニタ５０に共に出力表示させる（Ｓ２１２）。
制御部１０は、また、ＨＤＤ７２に記憶させた販売データ及びディジタル画像信号を、インターネット８２を介してセンタのメインサーバ８４に伝送し、メインサーバ８４は、伝送されて来た販売データ及びディジタル画像信号を、多数の売場のＰＯＳシステムから伝送されて来たディジタル画像信号及び販売データと共に記憶して（Ｓ２１４）、販売データを集計処理し、ディジタル画像信号を図示しないモニタに表示させる。
次に、制御部１０は、ＰＯＳプログラムが実行されるか否かを判定して（Ｓ２１６）、実行中であれば、上述した各ステップＳ２０４〜２１４を繰り返し、実行中でなければ、終了する。
【００２８】
制御部１０は、監視カメラ２０が作動していないと判定した場合（Ｓ２０４）は、スキャナ６６及びキーボード６２等の入力手段から入力されるか否かに基づき、販売データが入力されるか否かを判定する（図３Ｓ３０２）。販売データが入力される場合、入力された販売データをＨＤＤ７２に記憶させる（Ｓ３０４）。
【００２９】
次に、制御部１０は、ＶＧＡカード４０により、入力された販売データのみ従来のＰＯＳシステムのようにモニタ５０に出力表示させる（Ｓ３０６）。
制御部１０は、また、ＨＤＤ７２に記憶させた販売データを、インターネット８２を介してセンタのメインサーバ８４に伝送し、メインサーバ８４は、伝送されて来た販売データを、多数の売場のＰＯＳシステムから伝送されて来たディジタル画像信号及び販売データと共に記憶して（Ｓ３０８）、販売データを集計処理し、ディジタル画像信号を図示しないモニタに表示させる。
次に、制御部１０は、ＰＯＳプログラムが実行されるか否かを判定して（図２Ｓ２１６）、実行中であれば、上述した各ステップＳ２０４〜２１４を繰り返し、実行中でなければ、終了する。
【００３０】
制御部１０は、販売データが入力されなければ（図２Ｓ２０６）、売場内に設置された監視カメラ２０が撮影した動画像の信号を、ＤＶＲキャプチャボード３０に取り込ませ（キャプチャさせ）、ディジタル画像信号に変換させる（図４Ｓ４０２）。
制御部１０は、ＤＶＲキャプチャボード３０が変換したディジタル画像信号を、ＨＤＤ７２に記憶させる（Ｓ４０４）。
【００３１】
制御部１０は、次に、ＶＧＡカード４０により、ディジタル画像信号をモニタ５０の基本画面に出力表示させる（Ｓ４０６）。ここで、基本画面とは、従来のＰＯＳシステム画面において販売データの出力表示がない場合の画面である。
制御部１０は、また、ＨＤＤ７２に記憶させたディジタル画像信号を、インターネット８２を介してセンタのメインサーバ８４に伝送し、メインサーバ８４は、伝送されて来たディジタル画像信号を、多数の売場のＰＯＳシステムから伝送されて来たディジタル画像信号及び販売データと共に記憶して（Ｓ４０８）、販売データを集計処理し、ディジタル画像信号を図示しないモニタに表示させる。
【００３２】
次に、制御部１０は、ＰＯＳプログラムが実行されるか否かを判定して（図２Ｓ２１６）、実行中であれば、上述した各ステップＳ２０４〜２１４を繰り返し、実行中でなければ、終了する。
メインサーバ８４に記憶されたディジタル画像信号は、Ｗｅｂホームページ又は携帯電話を介して見ることが出来、外部からその動画像により、ＰＯＳシステムを盗難防止システムとしても活用することが出来る。
【００３３】
上述したように、ＰＯＳシステムのＨＤＤ７２にＤＶＲキャプチャボード３０を介してディジタル動画像を記憶させ、記憶させた動画像を販売データと共にモニタ５０に表示させることができる。
すなわち、既に設置されている監視カメラ２０と、売場内で運用されるＰＯＳシステムの内部に設置されたＤＶＲキャプチャボード３０とを連結し、各監視カメラ２０が監視する区域の動画像データを、各勘定台別に運用しているＰＯＳプログラムにより表示して、販売担当者が販売運用しながら売場内の盗難を監視することにより、販売及び盗難防止の管理効率を高めることが出来る。
【００３４】
また、ＰＯＳシステムとＤＶＲとが一体化されている為、設置及び運用が簡単であり、盗難防止の目的で設置された監視カメラ２０の画面を販売担当者と警備担当者とが二重に監視することが出来る。
以上述べたように、本発明では、ＰＯＳシステムにＤＶＲ機能を追加して一体にし、ＰＯＳシステムの販売管理に使用される画面に、ＤＶＲのＣＣＴＶで撮影された内容も表示するようにして、販売担当者が販売運用しながら売場内の盗難防止等の管理も行うことが出来る。
【００３５】
【発明の効果】
第１、２発明に係るＰＯＳシステムによれば、販売担当者が販売しながら売場内の盗難防止も行なうことが可能なＰＯＳシステムを実現することが出来る。
【００３６】
第３発明に係るＰＯＳシステムによれば、販売担当者が販売しながら売場内の盗難防止も行なうと共に、センタにおいても売場内の盗難を監視することが可能なＰＯＳシステムを実現することが出来る。
【００３７】
第４発明に係るＰＯＳシステムの情報処理方法によれば、販売担当者が販売しながら売場内の盗難防止も行なうことが可能なＰＯＳシステムの情報処理方法を実現することが出来る。
【００３８】
第５発明に係るＰＯＳシステムの情報処理方法によれば、販売担当者が販売しながら売場内の盗難防止も行なうことが可能であり、カメラが作動していない場合でも、ＰＯＳシステムとして作動することが可能なＰＯＳシステムの情報処理方法を実現することが出来る。
【００３９】
第６発明に係るＰＯＳシステムの情報処理方法によれば、販売担当者が販売しながら売場内の盗難防止も行なうことが可能であり、販売データが入力されない場合は、盗難防止システムとして作動することが可能なＰＯＳシステムの情報処理方法を実現することが出来る。
【図面の簡単な説明】
【図１】本発明に係るＰＯＳシステム及びＰＯＳシステムの情報処理方法の実施の形態の構成を示すブロック図である。
【図２】本発明に係るＰＯＳシステムの情報処理動作を示すフローチャートである。
【図３】本発明に係るＰＯＳシステムの情報処理動作を示すフローチャートである。
【図４】本発明に係るＰＯＳシステムの情報処理動作を示すフローチャートである。
【符号の説明】
１０  制御部
２０  監視カメラ（カメラ）
３０  ＤＶＲキャプチャボード（変換手段）
４０  ＶＧＡカード（出力手段）
５０  モニタ
６２  キーボード（入力手段）
６４  カード読取装置（入力手段）
６６  スキャナ（入力手段）
７２  ＨＤＤ（記憶手段）
７４  メモリ
８１  ＤＣＥ（送信手段）
８２  インターネット（コンピュータネットワーク）
８４  メインサーバ（コンピュータ）
８８  ＶＡＮ網
【図１】
2004178524.tif 000003
【図２】
2004178524.tif 000004
【図３】
2004178524.tif 000005
【図４】
2004178524.tif 000006